(57)【要約】【課題】  書類等を体裁良く収納保管でき、蓋板部を開けてマグネットの磁気吸着力を解除することで、側板部が倒れて展開状態となり、書類等を閲覧でき、興趣に富み、また見栄えもよく、使い勝手に優れるバインダー付書類保管箱を提供する。【解決手段】  底板部１２と、その前縁、後縁、左右側縁に折曲げ可能な連接部を介して連設された側板部１４，１６，１８，２０と、後縁側の側板部上縁に折曲げ可能な連接部を介して連設された蓋板部２２を備える。底板部の上面後縁寄りの部分に、バインダーとして機能するバインダー金具２４を設ける。側板部と蓋板部の適宜の部位に、側板部の起立状態で蓋板部を底板部に重ね合わせて全体箱体を構成するように側板部、蓋板部を着脱可能な状態で連結する仮止め手段であるマグネット３０ａ〜３０ｄを設ける。【選択図】図５
0003235215.tif 000002
【実用新案登録請求の範囲】
【請求項１】
矩形状を呈する底板部と、その前縁、後縁及び左右側縁に折曲げ可能な連接部を介して連設された帯状の側板部と、後縁側の側板部の上縁に折曲げ可能な連接部を介して連設された矩形状を呈する蓋板部とを備え、
前記底板部の上面後縁寄りの部分には、バインダーとして機能するバインダー金具が設けられるとともに、
前記側板部と蓋板部における適宜の部位には、前記底板部に対し四方の側板部を起立させた状態で蓋板部を底板部に重ね合わせることにより全体として箱体を構成するように前記側板部と蓋板部とを着脱可能な状態で連結する仮止め手段が設けられていることを特徴とする展開可能なバインダー付書類保管箱。
【請求項２】
請求項１記載の展開可能なバインダー付書類保管箱において、
前記仮止め手段としてマグネットを、前記側板部と蓋板部との適宜の部位に付設したことを特徴とする展開可能なバインダー付書類保管箱。
【請求項３】
請求項２記載の展開可能なバインダー付書類保管箱において、
前記側板部と蓋板部の内側には、内側に膨出する内マチ部が形成され、
これらの内マチ部の適宜の位置に前記マグネットが埋設されていることを特徴とする展開可能なバインダー付書類保管箱。
【請求項４】
請求項１ないし請求項３のいずれか１項に記載の展開可能なバインダー付書類保管箱において、
前記底板部に対し四方の側板部を起立させた状態で蓋板部を底板部に重ね合わせることで前記側板部と蓋板部とを仮止め状態で連結することにより全体として箱体を構成するように組み立てられ、
前記蓋板部の前縁部分を持ち上げることにより、前記前縁側の側板部と左右側縁の側板部とが三方に倒れ、全体が展開状態とされるように構成されていることを特徴とする展開可能なバインダー付書類保管箱。
【請求項５】
請求項１ないし請求項４のいずれか１項に記載の展開可能なバインダー付書類保管箱において、
前記バインダー金具としてはリングバインダー金具が用いられていることを特徴とする展開可能なバインダー付書類保管箱。
【考案の詳細な説明】
【技術分野】
【０００１】  本考案は、例えばホテルや旅館などの宿泊施設などにおいて、施設等の部屋の案内や、施設内等のレストランのメニュー等を綴じるリングバインダーのようなインフォメーションブックとして用いて好適な展開可能なバインダー付書類保管箱に関する。
【背景技術】
【０００２】  従来から、インフォメーションブックに採用されるリングバインダーとして最も一般的には、体裁がよく、重厚な材質で作成した表紙や裏表紙による二つ折りタイプのものが広く用いられている。【０００３】  すなわち、この種の二つ折りタイプのリングバインダーは、表紙と裏表紙とその間でマチとなる背表紙とからなり、裏表紙の内側にリングバインダーを構成する金具が設けられ、各種の情報が記載された施設案内やメニューなどがリングバインダー金具に綴じられるようになっている（例えば、特許文献１参照）。
【先行技術文献】
【特許文献】
【０００４】
【特許文献１】実開平０７−０４０１７９号公報
【考案の概要】
【考案が解決しようとする課題】
【０００５】  しかし、上述した二つ折りタイプのリングバインダーによるインフォメーションブックでは、表紙等の材質や見栄えをどのように工夫したとしても限界があり、また保管時にも机やテーブルなどに載せているだけでは、見栄えが悪く、内容物がはみ出したりし、体裁も悪いものであった。【０００６】  上述したインフォメーションブックとしては、薄箱形状を呈する蓋付き保管箱を用い、その中に前述した施設情報やメニュー等を収納するようにしたものも知られているが、各情報がバラバラになり易く、見栄えが悪く、体裁も悪く、使い勝手も悪い等の実用面での問題もあり、これらの不具合を一掃できる何らかの対策を講じることが望まれている。【０００７】  本考案はこのような事情に鑑みてなされたものであり、書類等を体裁良く収納保管でき、蓋板部を開けてマグネットの磁気吸着力を解除することで、側板部が倒れて展開状態となり、書類等を閲覧でき、興趣に富み、また見栄えもよく、使い勝手に優れるバインダー付書類保管箱を得ることを目的とする。
【課題を解決するための手段】
【０００８】  このような目的に応えるために本考案の請求項１記載の考案に係る展開可能なバインダー付書類保管箱は、矩形状を呈する底板部と、その前縁、後縁及び左右側縁に折曲げ可能な連接部を介して連設された帯状の側板部と、後縁側の側板部の上縁に折曲げ可能な連接部を介して連設された矩形状を呈する蓋板部とを備え、
前記底板部の上面後縁寄りの部分には、バインダーとして機能するバインダー金具が設けられるとともに、
前記側板部と蓋板部における適宜の部位には、前記底板部に対し四方の側板部を起立させた状態で蓋板部を底板部に重ね合わせることにより全体として箱体を構成するように前記側板部と蓋板部とを着脱可能な状態で連結する仮止め手段が設けられていることを特徴とする。【０００９】  本考案の請求項２記載の考案に係る展開可能なバインダー付書類保管箱は、請求項１記載の展開可能なバインダー付書類保管箱において、
前記仮止め手段としてマグネットを、前記側板部と蓋板部との適宜の部位に付設したことを特徴とする。【００１０】  本考案の請求項３記載の考案に係る展開可能なバインダー付書類保管箱は、請求項２記載の展開可能なバインダー付書類保管箱において、
前記側板部と蓋板部の内側には、内側に膨出する内マチ部が形成され、
これらの内マチ部の適宜の位置に前記マグネットが埋設されていることを特徴とする。【００１１】  本考案の請求項４記載の考案に係る展開可能なバインダー付書類保管箱は、請求項１ないし請求項３のいずれか１項に記載の展開可能なバインダー付書類保管箱において、
前記底板部に対し四方の側板部を起立させた状態で蓋板部を底板部に重ね合わせることで前記側板部と蓋板部とを仮止め状態で連結することにより全体として箱体を構成するように組み立てられ、
前記蓋板部の前縁部分を持ち上げることにより、前記前縁側の側板部と左右側縁の側板部とが三方に倒れ、全体が展開状態とされるように構成されていることを特徴とする。【００１２】  本考案の請求項５記載の考案に係る展開可能なバインダー付書類保管箱は、請求項１ないし請求項４のいずれか１項に記載の展開可能なバインダー付書類保管箱において、
前記バインダー金具としてはリングバインダー金具が用いられていることを特徴とする。
【考案の効果】
【００１３】  以上説明したように本考案に係る展開可能なバインダー付書類保管箱によれば、組立状態において書類等を収納して体裁良く保管でき、必要時には蓋板部を持ち上げて開けるだけで、磁石による磁気吸着力が解除され、側板部が倒れて全体が展開された状態となり、収納している書類等を必要に応じて閲覧することができ、興趣に富み、また見栄えもよく、使い勝手に優れている等の実用面での種々優れた効果を奏する。【００１４】  特に、本考案によれば、底板部に対し四方の側板部を起立させた状態で蓋板部を底板部に重ね合わせることで側板部と蓋板部とを仮止め状態で連結することで全体として箱体を構成するように組み立てる、というきわめて簡単な組立てによって、施設案内等の書類を体裁良く保管でき、しかも外観を重厚で上質感に溢れる箱体とすることができる等の種々優れた効果がある。【００１５】  また、本考案によれば、蓋板部の前縁部分を持ち上げ、さらにこの蓋体部をこれに連設された後縁側の側板部を開くことにより、マグネットによる磁気吸着力が解除され、前縁側の側板部と左右側縁の側板部は自重により三方に倒れ、保管箱全体が展開状態とされるなり、内部に収納した各種書類を閲覧できるようになり、見やすくなり、使い勝手がよく、体裁もよく、興趣に富む書類保管箱を得ることができるという種々優れた効果がある。
【図面の簡単な説明】
【００１６】
【図１】  本考案に係る展開可能なバインダー付書類保管箱の一実施形態を示し、バインダー付書類保管箱の組立状態を示す全体の概略斜視図。
【図２】  図１のＩＩ−ＩＩ線断面図。
【図３】  図１のＩＩＩ−ＩＩＩ線断面図。
【図４】  図１のバインダー付書類保管箱の展開状態を示す概略平面図。
【図５】  図４のバインダー付書類保管箱の展開状態を示す概略斜視図。
【考案を実施するための形態】
【００１７】  図１ないし図５は本考案に係る展開可能なバインダー付書類保管箱の一実施形態を示す。これらの図において、全体を符号１０で示すものは本考案を特徴づけるバインダー付書類保管箱であり、図１に示すように、組立状態において全体が薄型箱体形状を呈するように構成されている。
【００１８】  本考案によれば、上述した構成による展開可能なバインダー付書類保管箱１０において、矩形状を呈する底板部１２と、その前縁、後縁及び左右側縁に折曲げ可能な連接部１５，１７，１９，２１を介して連設された帯状の側板部１４，１６，１８，２０と、後縁側の側板部２０の上縁に折曲げ可能な連接部２３を介して連設された矩形状を呈する蓋板部２２とを備えている。
【００１９】  前記底板部１２の上面の後縁寄りの部分には、バインダーとして機能するバインダー金具２４が設けられている。ここで、２４ａ、２４ａはバインダー金具２４のリング部である。
【００２０】  前記底板部１２、側板部１４，１６，１８，２０、さらに蓋板部２２の内側面には、内側に膨出する内マチ部１２ａ，１４ａ，１６ａ，１８ａ，２０ａ，２２ａが形成されている。ここで、底板部１２、蓋板部２２の内マチ部１２ａ，２２ａは、外径よりも少し小さい寸法で形成されている。また、側板部１４，１６，１８，２０の内マチ部１４ａ，１６ａ，１８ａ，２０ａにおいて、前、後縁側の側板部１４，２０内マチ部１４ａ，２０ａは、側板部１４，２０の幅寸法とほぼ等しく形成され、左、右縁側の側板部１６，１８の内マチ部１６ａ，１８ａは、幅寸法とほぼ等しく形成され、箱体として組み立てたときに、外観が適正な箱体を描くように構成されている。
【００２１】  前記側板部１４，１６，１８，２０と蓋板部２２における適宜の部位には、前記底板部１２に対し四方の側板部１４，１６，１８，２０を起立させた状態で蓋板部２２を底板部１２に重ね合わせることにより全体として箱体を構成するように前記側板部１４，１６，１８，２０と蓋板部２２とを着脱可能な状態で連結する仮止め手段としてマグネット３０ａ〜３０ｄが設けられている。
【００２２】  すなわち、前記前縁側の側板部１４の内マチ部１４ａの上側部分には所定間隔おいてマグネット３０ａ，３０ａが埋設されている。一方、これに箱体を組み立てたときに対向する蓋板部２２の内マチ部２２ａの外側縁部分には、所定間隔おいてマグネット３０ｂ，３０ｂが埋設され、箱体として組み立てたときに、これらのマグネット３０ａ，３０ｂが磁気吸着力により着脱可能な状態で仮止めされるように構成されている。
【００２３】  また、左、右の側板部１６，１８の内マチ部１６ａ，１８ａの後縁側部分にはマグネット３０ｃ，３０ｃが埋設され、これらに箱体を組み立てたときに対向する後縁側の側板部２０の内マチ部２０ａの両側部分にはマグネット３０ｄ，３０ｄが埋設されている。そして、保管箱１０を箱体として組み立てたときに、これらのマグネット３０ｃ，３０ｄが磁気吸着力により着脱可能な状態で仮止めされるように構成されている。
【００２４】  なお、上述した底板部１２、側板部１４，１６，１８，２０および蓋板部２２の外装や内装部分は、書類保管箱１０の使用、用途に応じて適宜の材質や装飾などが施された状態とされ、用途に応じては、外装が重厚で上質感に溢れ、調度品として好ましい箱体を構成できるようにされることは言うまでもない。
【００２５】  以上のような構成による書類保管箱１０によれば、底板部１２に対し四方の側板部１４，１６，１８，２０を起立させた状態で蓋板部２２を底板部１２に重ね合わせることで側板部１４，１６，１８，２０と蓋板部２２とをマグネット３０ａ〜３０ｄによる磁気吸着力によって仮止め状態で連結することで全体として箱体を構成するように、簡単に組み立てることができる。そして、このように組み立てられた書類保管箱１０によれば、施設案内等の書類を体裁良く保管でき、また外観を重厚で上質感に溢れる箱体とすることができる。
【００２６】  また、上述した書類保管箱１０によれば、蓋板部２２の前縁部分を持ち上げ、さらにこの蓋体部２２をこれに連設された後縁側の側板部２０を開くことにより、マグネット３０ａ〜３０ｄによる磁気吸着力が解除され、前縁側の側板部１４と左右側縁の側板部１６，１８は自重により三方に倒れ、保管箱全体が展開状態とされるなり、内部に収納した各種書類を閲覧できるようになる。そして、このようにすれば、内部書類が見やすくなり、使い勝手がよく、体裁もよく、興趣に富む書類保管箱１０を得ることができる。
【００２７】  したがって、以上のような本考案に係る展開可能なバインダー付書類保管箱１０によれば、組立状態において書類等を収納して体裁良く保管でき、必要時には蓋板部２２を持ち上げて開けるだけで、マグネット３０ａ〜３０ｄによる磁気吸着力が解除され、側板部１４，１６，１８が三方に倒れて全体が展開された状態となり、収納している書類等を必要に応じて閲覧することができ、興趣に富み、また見栄えもよく、使い勝手に優れている等の実用面での種々優れた効果を奏する。
【００２８】  そして、このような書類保管箱１０によれば、各種宿泊施設などにおいて、施設情報やメニュー等の情報を提示できるインフォメーションブックとして好適なものを提案できるという優れた利点がある。
【００２９】  なお、本考案は上述した実施形態で説明した構造には限定されず、バインダー付書類保管箱を構成する各部の形状、構造等を適宜変形、変更し得ることはいうまでもない。
たとえば上述した実施形態では、仮止め手段としてマグネット３０ａ〜３０ｄを用いた場合を例示したが、本考案はこれに限定されず、適宜の部位を着脱可能な状態で仮止め連結することができる適宜の手段を用いてもよいことは言うまでもない。
【符号の説明】
【００３０】１０  バインダー付書類保管箱
１２  底板部
１４，１６，１８，２０  側板部
１５，１７，１９，２１  連接部
２２  蓋体部
２３  連接部
１２ａ，１４ａ，１６ａ，１８ａ，２０ａ，２２ａ  内マチ部
３０ａ〜３０ｄ  マグネット（仮止め手段）
【図１】
0003235215.tif 000003
【図２】
0003235215.tif 000004
【図３】
0003235215.tif 000005
【図４】
0003235215.tif 000006
【図５】
0003235215.tif 000007